(57)【要約】【課題】難燃性を備えていて、釘や木ねじを使用できる壁材を提供する。【解決手段】壁材１は、木材ミンチと石膏主体粉末とを、酢酸ビニル系エマルジョン型接着剤により所望形状の板状体に固めてなる。木材ミンチは、廃材を破砕して得たものであり、石膏主体粉末は、用済み石膏ボード又はプラスタボードを粉砕して得たものである。板状体は、所定の厚さを有する四角形であり、中空部７、８を有し、縁部に板状態同士で連続した壁面を形成するための互いに係合する係合部１１、１２を有する。板部２、３の少なくとも一方の面に紙１３又は１４を貼着してある。製造方法は、木材ミンチ、石膏主体粉末、酢酸ビニル樹脂系エマルジョン型接着剤、及び水を混合攪拌して泥状物とし、その泥状物を所定の壁材型に振動を与えながら充填し、充填後脱気加圧し、固化後に型から取り出して乾燥する。【選択図】        図１
2004270162.tif 000002
【特許請求の範囲】
【請求項１】
木材ミンチと石膏主体粉末とを、酢酸ビニル系エマルジョン型接着剤により所望形状の板状体に固めてなる壁材。
【請求項２】
前記木材ミンチは、廃材を破砕して得たものであり、前記石膏主体粉末は、用済み石膏ボード又はプラスタボードを粉砕して得たものであることを特徴とする請求項１に記載の壁材。
【請求項３】
前記板状体は、所定の厚さを有する四角形であり、中空部を有し、縁部に板状態同士で連続した壁面を形成するための互いに係合する係合部を有する請求項１、又は請求項２に記載の壁材。
【請求項４】
前記中空部内に断熱材を設置してあることを特徴とする請求項１、請求項２、又は請求項３に記載の壁材。
【請求項５】
前記板状体の少なくとも一方の面に紙を貼着してあることを特徴とする請求項１、請求項２、請求項３、又は請求項４に記載の壁材。
【請求項６】
木材ミンチ、石膏主体粉末、酢酸ビニル樹脂系エマルジョン型接着剤、及び水を混合攪拌して泥状物とし、その泥状物を所定の壁材型に振動を与えながら充填し、充填後脱気加圧し、固化後に前記型から取り出して乾燥することを特徴とする壁材の製造方法。
【請求項７】
前記木材ミンチと石膏主体粉末との混入割合は、重量比で木材ミンチ１に対して石膏主体粉末１．５〜２．５であることを特徴とする請求項６に記載の壁材の製造方法。
【請求項８】
前記接着剤の混入量は、前記木材ミンチと石膏主体粉末の量に対して重量比で０．０２〜０．０４であることを特徴とする請求項６、又は請求項７に記載の壁材の製造方法。
【請求項９】
前記水の混入量は、前記木材ミンチと石膏主体粉末の量に対して重量比で０．４〜０．６であることを特徴とする請求項６、請求項７、又は請求項８に記載の壁材の製造方法。
【発明の詳細な説明】
【０００１】
【発明の属する技術分野】
本発明は、壁材、主に内装用の壁材とその製造方法に関する。
【０００２】
【従来の技術】
従来の内装用壁材には、特許文献１に見られるように、下地枠の両側にパーチクルボードを貼り付けておいて石膏ボードからなる面材を釘で打ちつけた間仕切り等に用いるパネル構造がある。また、特許文献２に見られるように、壁面を構成する部分に、２層の下地層を石膏ボードで構成したものを適用し、表面側の石膏ボードの一部を構造用合板で置き換えた内装壁が開示されている。前者は、壁面全域が石膏ボードであり、壁面に釘や木ねじを用いてものを固定することは困難である。これに対し、後者は、構造用合板を用いてある範囲の壁面には釘や木ねじを使用できるが、何処の位置にでも使用できるものではない。なお、石膏ボードは、難燃構造壁として有効である点及び軽量である点でよく使用されている。
【０００３】
【特許文献１】
特開平０６−３４６５５０号公報（図２、段落番号００１２の部分参照）
【特許文献２】
特開２００２−２１３０３７号公報（図６、段落番号００２１の部分参照）
【０００４】
【発明が解決しようとする課題】
難燃性のある点で石膏ボードの壁は優れているが、その壁面に釘や木ねじでものを取付けるには不向きである。つまり、釘や木ねじの効きが悪いからである。これに対し難燃性に問題のある木材壁は、例えば構造用合板などは、釘や木ねじが使えるので、冷房用の室内機や、額支持部等の取付に極めて便利である。
本発明は、難燃性を備えていて、釘や木ねじを使用できる壁材を提供することを課題とする。
【０００５】
【課題を解決するための手段】
本発明の壁材は、木材ミンチと石膏主体粉末とを、酢酸ビニル系エマルジョン型接着剤により所望形状の板状体に固めてなることを特徴とする。
【０００６】
この壁材は、優れた難燃性を備えており、しかも木材と同様な取扱いができ、すなわち、木工鋸による切断、効きのよい状態で釘の打ち付け及び木ねじのねじ込みが可能で、比重や強度が木材と大略同じである。
【０００７】
前記木材ミンチは、廃材を破砕して得たものであり、前記石膏主体粉末は、用済み石膏ボード又はプラスタボードを粉砕して得たものである構成とするのがよい。この構成では、木材ミンチ及び石膏主体粉末が、廃材から得られるものであるから、安価に提供できる。
【０００８】
前記板状体は、所定の厚さを有する四角形であり、中空部を有し、縁部に板状体同士で連続した壁面を形成するための互いに係合する係合部を有する構成とするのがよい。この構成では、中空部は、軽量化や断熱性が得られることで有効であり、係合部は、施工において壁材の継ぎ足し部部分に隙間が生じないことや施工が容易となることなどで有効であり、これらを型成形で可能であるから、従来の木製枠材に石膏ボードやパーチクルボードの一方又は双方を取付けた構成のものよりも安価に得られる。
【０００９】
前記中空部内に断熱材を設置してある構成とするのがよい。この構成では、より優れた断熱性を付与することができる。
【００１０】
前記板状体の少なくとも一方の面に紙を貼着してある構成とするのがよい。この構成では、紙は内装用のクロス等を貼り付ける下地であり、クロス等を良好に接着し易い。
【００１１】
本発明の壁材の製造方法は、木材ミンチ、石膏主体粉末、酢酸ビニル系エマルジョン型接着剤、及び水を混合攪拌して泥状物とし、その泥状物を所定の壁材型に振動を与えながら充填し、充填後脱気加圧し、固化後に前記型から取り出して乾燥することを特徴とする。
【００１２】
水を加えることは全体に接着剤が行き渡るようにするためであり、接着剤が均等に行き渡ると、石膏主体粉末の粒子同士が接着剤層を介して当接すると共に木材ミンチの木片粒間を埋めて木片粒表面を覆うから、接着剤の固化によって確実に木材ミンチと石膏主体粉末とが一体化する。振動を与えること及び脱気加圧は壁材組織内に気泡が残らないようにすることができる。気泡は接着剤の固化後に空洞として残るから、大きいものがあると又ある程度小さくても多いと釘及び木ねじの固定作用が悪くなる、つまり効きが悪くなるから、残らないようにするのである。
【００１３】
前記木材ミンチと石膏主体粉末との混入割合は、重量比で木材ミンチ１に対して石膏主体粉末１．５〜２．５である構成とするのがよい。その理由は、石膏主体粉末が、１．５よりも少ないと難燃性が低下し、２．５よりも多いと接着剤の量を多くする必要が生じたり、釘や木ねじの固定作用や壁材としての強度が低下するからである。
【００１４】
前記接着剤の混入量は、前記木材ミンチと石膏主体粉末の量に対して重量比で０．０２〜０．０４である構成とするのがよい。木材ミンチ及び石膏主体粉末は接着剤の結合作用により壁材として一体化するものであり、接着剤の混入量が、少ないと結合作用が小さく、多いと無駄になるから、この範囲内に止めるのがよい。
【００１５】
前記水の混入量は、前記木材ミンチと石膏主体粉末の量に対して重量比で０．４〜０．６である構成とするのがよい。水の混入量は、少ないと均等に混合し難いと共に内部に気泡ができ易くなる問題が生じ、多いと混合がし易くなるが、脱気加圧の際に水と共に接着剤が流失する問題が生じるからである。
【００１６】
【発明の実施の形態】
本発明の第１の実施形態を図１に示す。この内装用の壁材１は、大部分を型により成型したものであり、所定の厚さｔ（６０ｍｍ）を有する長方形Ｗ×Ｌ（６００×３０００ｍｍ）の板状体である。この壁材１は、両外面部を形成する厚さｔ１（１５ｍｍ）の板状をなす板部２、３、双方の板部の間を連結している連結部４、５、６、中空部７、８、前記中空部の両端開口を閉じた閉鎖部９、１０、前記長方形の長辺をなす縁部に設けた係合部１１、１２、板部の表面に貼着された表面紙１３、１４等で構成されている。
【００１７】
一方の端の係合部１１は、長手方向に直角な断面形状が溝状をなす凹形のもので溝幅ｗ１（３０ｍｍ）、凹入深さｄ１（１５ｍｍ）を有し、前記長方形の長手方向全長に渡って設けてある。他方の端の係合部１２は、係合部１１のある縁部と反対側の縁部に設けた断面形状が凸形のもので幅ｗ２（３０ｍｍ）、突出量ｄ２（１５ｍｍ）を有している。中間部４、６は、係合部１１、１２と共に形成され、中間の連結部５は、横幅ｗ３（１５ｍｍ）である。係合部１１と係合部１２とは互いに嵌合する寸法であり、複数の壁材１を平面的に連続させて施工する場合に、互いに係合させることによって隣り合う壁材の表面を段差なく連続させることができる。なお、表面紙１３、１４は、防燃性処理を施したものであり、酢酸ビニル系接着剤（木工用接着剤）によって接着してある。
【００１８】
この壁材１は、次のようにして製造する。まず、木材ミンチ１０ｋｇ、石膏主体粉末２０ｋｇ、木工用接着剤（コニシ株式会社製、商品名「ニューＣＨ１８」、主成分：酢酸ビニル樹脂）１ｋｇ、水１．５ｋｇの割合で、これらを混合し、攪拌する。全体が十分に混ざり合って泥状となったものを成型材料とする。前記木材ミンチは、木製品や建築木材の廃材を破砕して最長径で２０〜５ｍｍの木片粒としたものであり、前記石膏主体粉末は、プラスタ−ボードの廃材を粉砕して約２ｍｍ目の篩を通したものであり、篩を通すことで紙や塊が除かれる。
【００１９】
前記成型材料を、例えば、図２に概略の構造をを示すような型２０に充填して一体成型する。この型２０による成型は、水平に置いた底板２１上に、各枠部材２２、２３、２４、２５を適当に組み付けて周壁を形成し、下側の板部２の厚さだけ成型材料を充填し、次に中子２６、２７を設置し、さらに成型材料を上側の板部３が形成されるまで充填し、蓋２８を装着する。この充填操作の間、型に適当な振動を加える。これにより、材料が緻密に充填されるから、空洞がなくなり気泡が少なくなる。そして蓋２８の上に適当な重錘２９を置いて所定時間放置し、固化後に取り出し、十分に乾燥させる。前記重錘による加圧によって気泡が殆ど消滅した状態で固化する。なお、中空部７、８の両端開口は、同じ成型材料で成型した封鎖部材９、１０により接着剤を使用して閉じる。そして成型体の表面に防炎性の表面紙１３、１４を貼着して完成する。
【００２０】
この壁材１は、建物の内装用の壁材、間仕切り用の壁材として使用でき、難燃性と併せて釘、木ねじの効きのよい使用が可能な点で、従来の壁材よりも優れたものである。難燃性について、表面紙１３、１４を貼着していない壁材１のテストピースを都市ガスの燃焼炎を１分間当るテストでは、表面付近に若干の色の変化が認められる程度で、大きな変化は認められなかった。また、木ねじの効き具合について、１５ｍｍ厚さのものに上向きにねじ込んだ木ねじに重錘をぶら下げる耐荷重比較テストでは、この壁材が４１ｋｇ、北洋松が４５ｋｇ、ベニヤ板が４３ｋｇであった。なお、石膏ボードにボードアンカーを使用したときは２０ｋｇであった。従って、この壁材の釘や木ねじの効き具合は、僅かに劣るがほぼ木材に対する効き具合に匹敵し、難燃性若しくは防炎性は、石膏ボードにほぼ匹敵するといえる。
また、原材料に、比較的安価に入手できる廃材を用いることができ、そして、比較的安価な酢酸ビニル系の接着剤を使用し、製造方法も簡単であるから、良好な壁材を安価に提供できる。
【００２１】
前記実施形態の壁材１は、両面に表面紙を貼着したものを示したが、これは用途によっては省略してもよく、また一方の面にだけ設けてもよい。
また、中空部７，８には、必要に応じて断熱材、例えばグラスウール、ウレタンホーム等を充填したものとしてもよい。これによって断熱性がより向上する。
【００２２】
また、この壁材１の表面紙を除いた部分の製造は、前記型による一体成型の他に、前記材料を用い、例えば、板部２、３、連結部４、５、６を、各別に型整形してから、或いは適当な部分を一体化させた形で型成型してから、成型材料に用いたものと同じ又は同等の接着剤で接着接合することによって製造してもよい。なお、連結部４、５、６を別個に形成する場合は、同一形状寸法とすのが製造上都合がよい。
また、前記実施形態の構造とは別に、前記成型材料で単純な板体を成型して、従来のプラスタボードや石膏ボードのような使い方も可能である。
【００２３】
【発明の効果】
請求項１記載の発明は、優れた難燃性を有し、木材と同様に鋸切断、釘、木ねじの使用等の加工や施工等の取り扱いができる効果を奏する。
請求項２に記載の発明は、安価に提供できる効果を奏する。
請求項３に記載の発明は、軽量で、断熱性を有し、安価である効果を奏する。
請求項４に記載の発明は、より優れた断熱性を有する物となる効果を奏する。
請求項５に記載の発明は、クロス等を良好に接着できる効果を奏する。
請求項６に記載の発明は、木材ミンチと石膏主体粉末とが接着剤により結合され、気泡が殆ど残存しないように強力に一体化できるから、釘及び木ねじの使用ができるようになり、石膏主体粉末が木片粒を覆うことで優れた難燃性を発揮するものが得られる効果を奏する。
請求項７に記載の発明は、確実な難燃性、釘や木ねじの固定作用が得られる効果を奏する。
請求項８に記載の発明は、確実な結合作用が得られ、接着剤の無駄を防止できる効果を奏する。
請求項９に記載の発明は、混合しやすく気泡ができ難い効果を奏する。
【図面の簡単な説明】
【図１】本発明の一実施形態を示し、（ａ）は内装用壁材の概略斜視図、（ｂ）は同壁材の長手方向に直角な断面の拡大図である。
【図２】同実施形態の壁材の製造に使用する型の概略の構成を示す斜視図である。
【符号の説明】
１      壁材
２、３      板部
４、５、６      連結部
７、８      中空部
９、１０      封鎖部
１１、１２      係合部
１３、１４      表面紙
２０      型
２１      底板
２２、２３、２４、２５      枠部材
２６、２７      中子
２８      蓋
２９      重錘
【図１】
2004270162.tif 000003
【図２】
2004270162.tif 000004